(57)【特許請求の範囲】
【請求項１】
弾性を有する薄板基板に、試薬と試料を混合するための、外部から観察可能な混合室を設け、前記混合室に試薬及び試料を入れた後、前記薄板基板を撓ませまた復元操作することにより混合室の試薬と試料を混合し、前記混合室を外部から観察して結果を判定するようにしたしたことを特徴とする化学反応目視用混合試験方法。
【発明の詳細な説明】
【０００１】
【産業上の利用分野】
この発明は、超微量の試薬及び試料を使用した化学反応目視用混合試験方法に関するものであり、特に現場において簡便且つ安全に密封状態でも実施できる上、混合したその場で目視により結果（混合、凝集、発色、沈降、沈澱等）を判定でき、また試験結果を容易にポケットに入れ持ち歩いたり、記録原簿に張り付け保存したり、場所を取らず長期保存できると共に廃液処理等を不要としたものである。
【０００２】
【従来の技術】
従来、混合、発色反応、凝集反応、溶解沈降（沈澱）反応等の化学反応による分析、分別、及び試験は、一般的には試験管又はマイクロプレート上で、内部に試料（検体）と薬品（試薬）を入れ振動及び撹拌棒によって分析結果を得ていた（実開昭６２−４７９６７号公報）。
【０００３】
【発明が解決しようとする課題】
然しながら、従来法は廃液処理施設又は処理方法によって近年危険物を垂れ流しが不可能となり、焼却処分によっては焼却炉を高温により破損してしまう事故が発生してごみ問題とともに、また粉砕処理方法によっても危険物の飛散が問題となり人体に感染する問題も発生し、八方塞りとなっていた。また試料の廃棄量の多い場合には最早対応が不可能なことが起こり、時代に合わないこととなってきて、超微量分析法が望まれて、実験室、試験室、研究室等で重ねて繰り返す試験には、その材料費と処分方法でかなりの額の費用が年々加重されるばかりである。
【０００４】
また室内、戸外どこでも簡単にポケットに入れられて超微量試験・分析が可能となり、その分析結果をそのまま記録に保管でき、場所も必要とせず、処分も簡単に焼却可能となり運搬費も大幅に安くすることができ、超微量分析のための特別の分析装置に頼らざるを得なかった現状を解消し、危険な試料，薬品検体の垂れ流しとそのための施設も同時に解消することができる。
【０００５】
【課題を解決するための手段】
そこで本発明者は、係る従来の問題点を基本から解消するため、超微量での分析等を極めて便利に手軽に、場所を選ばず、処理問題も合わせて解決し得る化学反応目視用混合試験方法で、加温又は低温時の処理時にも、従来のような恒温槽や低温槽を必要とせず、手のひら大の温風室又はドライアイスを用いた小型クーラーボックス位で簡単に所定の温度が得られ、超微量分析が極めて手軽にどこでも行い得る化学反応目視用混合試験方法を提供することを目的として様々な実験及び実用試験を重ねた。
【０００６】
そしてその結果、二枚の板間での毛細管現象と撓み性を利用すれば、極めて超微量で試験管内と同等の結果が容易に得られることを見い出し本発明を完成したもので、広範囲に利用できることが同時に確認されたものであり、かなりの資源と人件費、処理費が節約されることがこの方法で判明した。
【０００７】
そこでこの発明に係る化学反応目視用混合試験方法は、弾性を有する薄板基板に外部から観察可能な試薬と試料を混合するための混合室を設け、混合室に試薬及び試料を入れた後、基板を撓み復元操作をして混合室の試薬と試料を混合し、混合室を外部から観察して結果を判定するようにしたことを特徴とするものである。
【０００８】
【０００９】
【００１０】
【作用】
この発明に係る化学反応目視用混合試験方法は、弾性を有する可撓性の薄板基板に外部から観察可能に設けた混合室（主として２枚の薄板を重ね合わせたもの）に試薬及び試料を毛細管現象を利用して、または直接注入し、その後例えば基板の両側を指で挟むようにして持ち、基板を撓み復元操作（屈伸操作）して混合室の試薬と試料を混合し、混合室を外部から観察して結果（混合、凝集、発色、沈降、沈澱等）を判定する。
【００１１】
また、所望の試薬が入っており、外部より室内に試料が侵入可能な混合室を設けた弾性を有する薄板基板の混合室に、試薬を所定箇所から毛細管現象を利用して、又は他の任意の方法により入れ、その後基板を撓み復元操作して混合室の試薬と試料を混合し、混合室を外部から観察して結果を判定する。そして、その後カバーフィルムにより開口部を密閉して保持・保存する。
【００１２】
混合室は、弾性を有する薄板基板にプレート片を重ね合わせ、プレート片の任意箇所を基板に固着して形成するか、あるいは弾性を有する薄型基板に所望形状の打抜き部を形成し、この打抜き部裏側の全面をカバー材で塞ぎ、表側を任意の面積プレート片で塞いで、又は表側の全面をプレート片で塞ぎプレート片又はカバー材に混合室に通じる所望形状の透孔を設けて形成する。
【００１３】
ここに弾性を有する薄板基板の材質としては、弾性を有して変形可能であればその種類の如何を問わないが、例えば合成樹脂製薄板は便利であり、また合成樹脂をコーティングした防水性紙や、金属製薄板、シリコン塗布板等が使用可能である。
【００１４】
この薄板基板の大きさ、厚さ、及び形状はその如何を問わないが、試験、分析反応を行う検査、検体の数で決められて良く、一度に１００検体や２００検体といくらでも増加が可能で、一検体から３００検体を片手又は両手で薄板基板の両端を押さえて撓み操作（屈伸操作）を行い得ることができる大きさで、当然小検体では、０．０５〜０．２ｍｍくらいの基盤、３００検体では０．２〜０．５ｍｍくらいの基盤、就中名刺大やテレフォンカード大とすると少量試験（６〜８項目検査）に望ましく、またその厚さは０．０５〜０．５ｍｍ程度とするのが多くの化学反応に使い易い。
【００１５】
また、基板は反応色に合わせ、反応と反対色を用いるとよく、白い凝集発色には黒い基板等を用いる。また基盤には、プレート片に合わせて、すじ又は切れ込み部を入れておくと撓み効果が得られ、多量の反応検体に対しては反応し易い。
【００１６】
一方、プレート片の材質としては弾力性や撓み性は必ずしも必要でないが、基板とプレート片間の間隙の容積を効率的に変化せしめるためには、むしろ撓み性が小さいか有さない方が好ましく、基板は大きいので曲がり易いが、プレート片は小片なので曲がり難いので合成樹脂製薄板が便利である。またプレート片自体は混和，混合状態を外部から観察し得るよう透明体か、または凝集、発色（呈色）、沈降（沈澱）反応が見やすい黒か薄い色付きでもよい。
【００１７】
また、このプレート片の大きさは基板と同一であってもよいが、通常は基板より小さいものを複数枚用い、一つの基板にそれぞれ各別、反応別に重ね合わせ固着せしめるのが、複数の分析試験を行い得る上で有利である。
【００１８】
またプレート片の形状もその如何を問わないが、方形状とするのが固着部位の選定の容易性及び基板の撓み・復元操作に伴う効率よい間隙容積の変化を得る上で有利であるが、逆三角形、長方形でかなりの長さでも、内容物の混合は強制的に撹拌可能で、むしろ試験管内で混和混合するより優れている位である。なお、プレート片の厚さも基板と同様０．０５ｍｍ〜０．５ｍｍ程度で、試験検体が多い場合には厚くし、試験検体が少ない場合には薄くしてもよい。
【００１９】
プレート片を基板に固着するには任意の箇所を固着すればよく、例えばプレート片が方形状又は長方形の場合には、一辺縁部、二辺縁部、三辺縁部、四辺縁部、及び裏蓋縁部（円形では半円部）が、適宜温度蒸着接着剤を介して基板に固着されるが、この場合予め基板の重ね合わせ面側にプレート片の外形に対応したプレート片用の溝を形成しておくのが、重ね合わせに有利であり、また当該プレート片用の非固着辺縁対応部の一部に突出する溝を連続形成し、切り込み、円形、半円形、長方形うち抜きの試料受けエリアを形成するとともに、そこより試料が毛細管現象により混合室に入り易いように溝を形成しておいてもよい。この試料受エリアが存在すると、余分の試料及び試薬がこの部分にたまり外部に漏れない。
【００２０】
混合室には試薬等の必要量確保台枠を形成するか、試薬を入れておくと、試験や試薬の注入操作が簡単となり、予め試薬を入れておいたものに試料を入れ、操作・混合すると便利で途中での煩わしい操作は不必要となり早い反応を得ることができる。
【００２１】
また、基板に所望形状、例えば正方形、長方形、三角形、円形等の打抜き部を形成し、裏側を透明又は反応色に応じ黒色等のカバー材で塞ぎ、混合室となる打抜き部に予め試薬を入れ、表側をプレート片（打抜き部よりやや大きいプレート片）により塞ぐ。このとき、試薬が外部に漏れ出さないようにするため、プレート片の上をさらに再接着性（ウェット性の）透明又は着色試料，試薬の変質を防止するためのカバーフィルムにより覆い、開口部を塞ぎ、試料の蒸発と試料の変質を防止する。この場合、混合室の大きさや基板の厚さにより試薬の位置や量が決められる。またこの方法だと試料検体，試薬を安全に外部にまた外部から送ることが簡単に安価でできるようになる。
【００２２】
基板とプレート片の重ね合わせに際しては、適宜厚さ０．１〜０．４ｍｍ程度のスペーサーを介在せしめるのが、間隙容積の変化を伴う混合をより効果的に行う上で望ましく、特に凝集又は遠心時、沈殿時の固まりや凝集の大きさ、沈殿物量、沈降時の時間速度等を観察するのに都合が良い。
また基板プレート片を長方形として先端を円形にするか三角形状にしておくと、遠心沈殿した沈渣物をスポイトピペット等で撓ませて口を開き吸引すると、スピッツ試験管の代わりとなる。
【００２３】
スペーサーは基板又はプレート片とは別部材で構成してもよいが、プレート片の一部を折曲げて重ねてスペーサーとしてもよい。またこのスペーサーに穴を開けたり切込を入れたりして、予め入れておく試薬を保持する枠も一緒に備えておくと試薬等の長期保存に便利である。
【００２４】
また、スペーサーは、別部材で構成する場合には、吸水性材料によったり、糸状の素材で構成すれば、試料の量が誤って多過ぎた場合、その吸水作用と糸状及び試料置場の円形、長方形溝に採集量を誤ってのせ過ぎてもわき上がりこぼれ出ることはほとんどない。
【００２５】
さらに、基板とプレート片又はカバー材の重ね合わせ面側に適宜試験に応じた形状の溝を適当数形成すると、内部混和混合の効果がよくなる。
【００２６】
本発明の混合試験方法で使用する混合試験具は、使用前はもとより使用後に於ても異物や雑物（雑菌等）の侵入（汚染）を防止し、その保管や保存変質を防ぎ完全なものとするため、基板とプレート片との重ね合わせ面側の全体を再接着性カバーフィルムで密着・密封し、混合室の開口部を密閉できるようにするのがよい。
【００２７】
さらに、本発明は材料費，各試薬費，各試料とも極めて安価又は超微量で各試験が可能であり、また後処理のための多くの経費も必要としない特性を備えていて、これからの化学的分析発色混合沈降試験に画期的な方法であらゆる分野に活用することができる。
【００２８】
【実施例】
次にこの発明に係る混合試験方法で使用する混合試験具の実施例を図面に基づいて述べる。
【００２９】
［実施例１］
まず、薄板基板に打抜き部を形成しこの両面をカバー材とプレート片で塞いで混合室とする。次に、この発明に係る混合試験方法で使用可能な混合試験具の例を図１及び図２により説明する。
【００３０】
１は合成樹脂製の長方形の薄板基板であり、大きさは５．５ｃｍ×９．０ｃｍで厚さは０．２ｍｍである。なお、大きさと厚さは試験対象や試験試料数により任意に選択することができ、また弾性を有するものであればその弾性の強弱は問わず、要は撓み復元操作（屈伸操作）が可能であればどのような素材でもよい。また、縦長でも横長でもどちらでもよいが、図示したものは横長型とした。また、手で持って撓み復元操作を行わず、機械により行うような場合には、その機械に適した大きさ、形状とすることができる。
【００３１】
２は混合室３を設けるために薄板基板１に形成した正方形の打抜き部であり、上辺部に試料受け４とするため半円形の突部５が形成してある。打抜き部の大きさは１．２ｃｍ×１．２ｃｍである。図示した例では打抜き部２を２個形成したが、この数は検体数に応じて任意に選択できるが、複数設けておくことにより、一枚で各種の試験が行うことができ、同時に複数の試験具を用意する必要が無くなる。また、打抜き部の大きさも、試験対象や試薬の種類等により適宜選択でき、形状も正方形の他、長方形やその他任意の形状でよい。
【００３２】
６は薄板基板１に形成した打抜き部２の裏側全面を塞ぐためのカバー材である。カバー材は弾性や可撓性を有する材料であってもよく、又はこれらの性質を全く有さないものであってもよい。ただし、薄板基板１の撓み復元操作を完全には妨げない必要がある。カバー材６は打抜き部２が完全に塞がれるように薄板基板１に固着する。また、カバー材６は透明な合成樹脂材であってもよく、あるいは金属薄板であってもよく、その他任意の色彩、材料のものを選択できる。
【００３３】
７は薄板基板１に形成した打抜き部２の表側を塞ぐためのプレート片である。プレート片は打抜き部２より左右上下方向にそれぞれ１ｍｍくらい大きなものとし、打抜き部２の表側を塞ぐように薄板基板１に固着してある。プレート片７もカバー材６と同様に弾性や可撓性を有する材料であってもよく、又はこれらの性質を全く有さないものであってもよい。ただし、薄板基板１の撓み復元操作を完全には妨げない必要がある。
【００３４】
また、プレート片７は透明な合成樹脂材であってもよく、あるいは金属薄板であってもよく、その他任意の色彩、材料のものを選択できる。ただし、試験結果を外部から観察可能とするため、少なくともプレート片７又はカバー材６のどちらか一方は、外部から内部が見えるような素材としておく必要がある。
【００３５】
薄板基板１の打抜き部２はその裏側をカバー材６により塞がれるとともに表側をプレート片７により塞がれ、打抜き部２に混合室３が形成されることになる。そして、打抜き部２の上辺に形成した突部はプレート片７により塞がれず、試料受け４となり、この部分より混合室３内に試料が侵入可能となっている。
【００３６】
８は必要に応じて試験対象に合わせて混合室３内に予め入れた試薬であり、試薬を単独で入れておいてもよいが、例えばラテックス等に含浸させておいてもよい。これらは、試薬の性状や必要量等により適宜選択する。また、試薬は混合室３内に完全固定してもよく、また非固定状態にしておいてもよい。なお、試験対象によっては、試薬８は予め混合室３に入れておかず、試験時に試料とともに混合室３に入れるようにしてもよい。
【００３７】
なお、図示はしていないがカバー材６やプレート片７の混合室３に面する側に凹凸や溝等を形成しておいてもよい。このようにしておくと、試験対象によっては薄板基板１の撓み復元操作による混和（混合）の促進を図れる場合がある。
【００３８】
［実施例２］
薄板基板にプレート片を重ね合わせ、プレート片の任意箇所を基板に固着し、プレート片を基板に固着していない開口箇所のうち、少なくとも一箇所の基板をプレート片の縁部より大きくして試料受けエリアとし、プレート片の上から基板とプレート片の重ね合わせ面側全体を密着・密封可能なカバーフィルムを設けた例を図３及び図４により説明する。
【００３９】
１は合成樹脂製の長方形の薄板基板であり、大きさは５．５ｃｍ×９．０ｃｍで厚さは０．１ｍｍである。なお、大きさと厚さは実施例１と同様に試験対象や試験試料数により任意に選択できる。また弾性を有するものであればその弾性の強弱は問わず、要は撓み復元操作（屈伸操作）が可能で、化学反応に影響がなければ、どのような素材でもよいことも実施例１と同様である。
【００４０】
９は薄板基板１に形成した浅い混合促進用の溝であり、この溝８の形状は、試料が内部に入り易く、また混合効果のあるものなら、図示した例のもののほか各種の形状が採用できる。また、試験対象によっては設けなくてもよい。
【００４１】
１０は薄板基板１とプレート片７の間に挟んで固着したスペーサーであり、これらにより混合室３が形成されている。スペーサー１０は、ここから試料等が混合室３内に侵入可能なように上辺を開放した形状となっている。なお、スペーサー１０はプレート辺７と同様に弾性や可撓性を有するものであってもよく、又はこれらの性質を有さないものであってもよい。また合成樹脂や金属の他、吸水性を有するような材料としてもよい。吸水性のものを使用すると、試料等が多過ぎた場合にも、混合室３からこれらのものが溢れ出ることを防止できる。
【００４２】
図示した例では、薄板基板１に混合室３を２個設けるようにプレート片７を薄板基板１に２枚固着した。この混合室３は試験対象や検体数により任意の数を選択することができ、また、１枚のプレート片７の複数箇所を薄板基板１に固着することにより、１枚のプレート片７で複数の混合室３を形成するようにしてもよい。なお、混合室３が外部から観察できるように、薄板基板１又はプレート片７のどちらか一方は、少なくとも透明体等としておく。
【００４３】
薄板基板１はプレート片７よりも大きいので、薄板基板１の混合室３の開口部が試料受け４となる。この部分に試料を置き混合室３内に毛細管現象により試料を侵入させる。混合室３内には実施例１と同様に予め必要に応じて試薬８を入れておく。また、試薬８を混合室３に入れる場合には、スペーサー１０の一部に試薬８を固定してもよく、あるいはスペーサー１０に試薬成分を含浸させておいてもよい。
【００４４】
１１は再接着性のカバーフィルムであり、上端を薄板基板１に固着してある。カバーフィルム１１はプレート片７の上から薄板基板１を密封できるようになっており、試験前の保管時においては、試薬８の蒸発等を防ぐとともに、試験後の保存に際して試料が外気と触れるのを防ぎ保存性を高める。このカバーフィルム１１は必要に応じて設ければよく、また一枚のカバーフィルム１１により全ての混合室３が塞がれるようにしてもよく、あるいは混合室３ごとにカバーフィルム１１を設けてもよい。
【００４５】
なお、図示した例ではスペーサー１０を挟んで薄板基板１とプレート片７を固着したが、スペーサー１０を設けずに直接薄板基板１とプレート片７を固着してもよい。また、プレート片７の薄板基板１への固着箇所も試験対象等により任意に選択でき、例えば３辺やＵ型の他、対向する２辺を固着してもよく、あるいはＬ型に固着してもよく、又は１辺だけや点状に固着してもよい。
【００４６】
［その他の実施例］
図５乃至図９は、本発明に係る混合試験方法に使用可能な混合試験具の他の実施例を示すものである。夫々のものは、次のような試験に適するものである。
【００４７】
図５は一枚の薄板基板１に４つの混合室３とともに、試験に応じた比色標準部１２を設けたものである。また、混合室３を形成しているスペーサー１０は図示したように、部分的に凹凸を設け混合を促進するようにしてもある。そして、混合室３には試験内容に応じて、それぞれの混合室３に異なった試薬８を予め入れておいてもよい。
【００４８】
図６は赤血球型検査用のものを示したものであり、一枚の薄板基板１に上段に受血者用の３つの混合室３を並べるとともに、下段に前記３つの混合室３に対応させて供血者用の３つの比色対照用混合室１３を設けてある。各混合室３，１３は裏側をカバー材６により塞ぐとともに、表側もそれぞれスペーサー１０を介してプレート片７で塞いである。そして、プレート片７には試料注入用の透孔１４が形成してある。図示した例では透孔１４は丸穴としたが、その他三角形や四角形等任意の形状とすることができる。なお、プレート片７で全面を塞がず開口部を残しておき、試料受け４としてもよい。また、透孔１４を一つの混合室３に複数設け、空気抜き孔としておくと、試料によっては注入が速やかに行える。
【００４９】
そして、各混合室３，１３のそれぞれのスペーサー１０の底部にはそれぞれ上下に対応する形で抗Ａ血清，抗Ｂ血清，抗Ｄ血清が試薬８として順に入れてある。抗Ａ血清，抗Ｂ血清，抗Ｄ血清の反応を調べることによりＡ型，Ｂ型，Ｏ型，ＡＢ型及びＲＨ（＋）（−）の血液型が特定できることは公知の通りである。図示した例では、安全のために一つの混合室３，１３についてスペーサー１０の底部左右の２箇所に同一の試薬８を入れておくようにしてある。なお、上記した例では混合室３を受血者用とし、比色対象用混合室１３を供血者用としたが、これは逆にしてもよい。いずれにしても、後述するように上段と下段の反応が一致すればよいからである。
【００５０】
図７は一枚の薄板基板１に３つの試薬室１６（イ，ロ，ハ）を設けるとともに、これらの試薬室イ，ロ，ハはそれぞれ混合室４と連通させてある。また、試薬室イ及び試薬室ハと混合室の間には試薬ストッパー１７が設けてあり、この試薬ストッパー１７を引き抜くと試薬室イ又は試薬室ハの試薬が混合室に入るように構成してある。
【００５１】
図８は縦長型の例を示したものであり、一枚の薄板基板１に、スペーサー１０を挟み込むようにして、プレート片７の対向２辺を薄板基板１に接着剤１５により直接固着してある。そして、試料受け４に滴下した試料や試薬はスペーサー１０にそって入り込み混合室３内に侵入するようになっている。なお、図示した例では混合室３を二つ設けるものを示したが、試験対象によりこれらの数は適宜選択できるものである。
【００５２】
図９も縦長型の例を示したものであり、一つの試料受け４から、中央下部底辺を丸くしたもので混合の促進を図るとともに、角度をつけて沈澱物，沈渣物を集めるためのもので、試薬室１６（イ，ロ，ハ，ニ，ホ）のうち試薬室イとロの試薬８を混ぜて混合室３に送り込むことができ、また同じく試薬室ハとニの試薬８を混ぜて混合室３に送り込むことができ、試薬室トの試薬８は単独で混合室３に送り込むことができる。この一枚の混合室３で６種類以上の試薬８を親指と人差指で両面からつまんで次々に必要に応じて多種類の試薬８を予め入れておいて混合室３に連続的に送り込むためのものである。
【００５３】
図１０は特殊検査用のものを示したものであり、一枚の薄板基板１に３つの混合室３があり、各混合室３は裏側をカバー材６により点線で固定塞ぐとともに、表側もそれぞれプレート片７で塞いである。そして、プレート片７上部には試料注入用の透孔１４が形成してある。透孔１４は任意の形状が可能であり、図示した例では左より三角形、＊形、円形のものを示した。また、透孔１４を一つの混合室３に複数設け、空気抜き孔としておくと、試料によっては注入が速やかに行える。
【００５４】
次に、上記した混合試験具を使用して本発明の混合試験方法の実施方法について説明する。
【００５５】
［試験方法１］
図５に示す混合試験具を使用して発色試験方法について説明する。
各混合室３の試料受け４にそれぞれ試料を滴下し、混合室３内に毛細管現象を利用して侵入させる。なお、この時基板１を曲げて混合室３の隙間を大きくして入れてもよい。また、試薬も同様にして各混合室３に入れる。
【００５６】
試料と試薬が各混合室３に入ったら、薄板基板１の両端を手で挟むようにして（例えば一端を親指で他端を中指で）持ち、薄板基板１に対し屈伸運動をさせることとなる撓み復元操作を行い、試薬と試料を混合する。薄板基板１に対し撓み復元操作を行うと、混合室３の形状が変形し、隙間が大きくなったり小さくなったりして混和（混合）作用が行われるとともに、スペーサー１０の形状によりなお一層混和（混合）が促進される。なお、スペーサー１０の周囲はこの時空気抜けの役目をしている。
【００５７】
混合操作が完了し、試薬と反応して呈色したならば、各混合室３の色を比色対照部１２の色と比較対照し、結果を判定する。
【００５８】
［試験方法２］
図６に示す混合試験具を使用して、被検者の血液型を検査する混合試験方法について説明する。
まず、上段の３つの混合室３に受血者から採血した血液を試料受け４に滴下又はつけ、混合室３内に毛細管現象を利用して侵入させる。また、下段の３つの比色対照用混合室１３に供血者の血液を同様に試料受け４に滴下又はつけ、混合室３内に毛細管現象を利用して侵入させる。
【００５９】
または３枚一組の短冊形の紙又は樹脂片を扇子状にした採血具を用意し、受血者及び供血者の耳朶にせん針ばりで傷口をつけ、わき出る血液をこの採血具で受け、その後これを開いてそれぞれの混合室３，１３に差し込んでもよい。
【００６０】
各混合室３，１３の血液が基板１又はスペーサー１０に入れられた各抗血清試薬と反応したならば、上段の受血者となる混合室３の結果を下段の供血者となる比色対照混合室１３の結果と対照し、受血者と供血者の血液型を特定、上段の混合室３と下段の比色対照混合室１３の凝集が一致していれば、血液型が適合していることになる。なお、カバーフィルムがある場合には、試験後に試料受け４や透孔１４を塞ぐようにして全体を密封すれば、試験結果を一定期間容易にカルテ等にも保存できる。
【００６１】
【発明の効果】
前記のようにこの発明に係る化学反応目視用混合試験方法によれば、弾性を有する薄板基板に外部から観察可能な試薬と試料を混合するための混合室を設け、混合室に試薬及び試料を入れた後、基板を撓み復元操作をして混合室の試薬と試料を混合し、混合室を外部から観察して結果を判定するようにしたしたので、簡単にどこでも試験を行うことができるという効果を有する。
【図面の簡単な説明】
【図１】  図２の分解斜視図である。
【図２】  本発明に係る化学反応目視用混合試験方法で使用可能な混合試験具を、基板とカバー材とプレート片の３枚により構成したものを示す平面図である。
【図３】  図４の分解斜視図である。
【図４】  本発明に係る化学反応目使用混合試験方法で使用可能な混合試験具で基板とカバー材の２枚により構成したものを示す平面図である。
【図５】  本発明に係る化学反応目視用混合試験方法で使用可能な混合試験具の他例を示す平面図であり、比色対照試験用のものを示したものである。
【図６】  本発明に係る化学反応目視用混合試験方法で使用可能な混合試験具の他例を示す平面図であり、赤血球型検査用のものを示したものである。
【図７】  本発明に係る化学反応目視用混合試験方法で使用可能な混合試験具の他例を示す平面図であり、一つの混合室に３つの試薬が単独に送り込めるようにしたものを示したものである。
【図８】  本発明に係る化学反応目視用混合試験方法で使用可能な混合試験具の他例を示す平面図であり、吸水性のスペーサーを挟み込んだものを示したものである。
【図９】  本発明に係る化学反応目視用混合試験方法で使用可能な混合試験具の他例を示す平面図であり、一つの混合室に複数の試薬を混合し、又は単独で送り込めるようにしたものを示したものである。
【図１０】  本発明に係る化学反応目視用混合試験方法で使用可能な混合試験具の他例を示す平面図であり、特殊検査用のものを示したものである。
【符号の説明】
１  基板
２  打抜き部
３  混合室
４  試料受け
５  突部
６  カバー材
７  プレート片
８  試薬
９  溝
１０  スペーサー
１１  カバーフィルム
１２  比較対照部
１３  比較対照用混合室
１４  透孔
１５  接着剤
１６  試薬室
１７  試薬ストッパー
【図１】
0003712007.tif 000002
【図２】
0003712007.tif 000003
【図３】
0003712007.tif 000004
【図４】
0003712007.tif 000005
【図１０】
0003712007.tif 000006
【図５】
0003712007.tif 000007
【図６】
0003712007.tif 000008
【図７】
0003712007.tif 000009
【図８】
0003712007.tif 000010
【図９】
0003712007.tif 000011